(57)【要約】    【課題】        足の下腿部の保温を目的とした靴下であって、靴を履いた状態での着脱作業が容易であり、また、足のサイズが異なる不特定の使用者についても適正な装着状態を得ることができ、さらに、装着時のスマートさ、ファッション感覚の点でも満足できるものとする。    【解決手段】        下腿部に巻き付けてファスナーで締める構造の下腿部保温靴下であって、その材質は保温性を有し且つ伸縮性のある布製素材とし、該布製素材の端部に設けたファスナーを閉めることにより形成される筒状体の太さを、足の脹脛部に当る部分を最大とし、そこから上部に行くに従い若干細くし、また、下部に行くに従い徐々に細くして足首部に当る最下端の太さを最小とするように該布製素材のサイズ取りを行う。最大太さとなる脹脛部に当る部分の周長をＬ、最小太さとなる足首部に当る部分の周長をｌ、最上部の周長をｍとするとき、ｌ/Ｌ＝０．５〜０．７、ｍ/Ｌ≒０．９程度とする。     【選択図】図２
0003141232.tif 000002
【実用新案登録請求の範囲】
【請求項１】
下腿部に巻き付けてファスナーで締める構造の下腿部保温靴下であって、その材質は保温性を有し且つ伸縮性のある布製素材とし、該布製素材の端部に設けたファスナーを閉めることにより形成される筒状体の太さを、足の脹脛部に当る部分を最大とし、そこから上部に行くに従い若干細くし、また、下部に行くに従い徐々に細くして足首部に当る最下端の太さを最小とするように該布製素材のサイズ取りを行うことを特徴とする。
【請求項２】
ファスナーを閉めることにより形成される上記筒状体において、最大太さとなる脹脛部に当る部分の周長をＬ、最小太さとなる足首部に当る部分の周長をｌ、最上部の周長をｍとするとき、ｌ/Ｌ＝０．５〜０．７、ｍ/Ｌ≒０．９程度である請求項１に記載の下腿部保温靴下。
【考案の詳細な説明】
【技術分野】
【０００１】
本考案は、冬季又は夏季においても冷房の効きすぎたオフィス等での椅子に座ってのデスクワーク等の際に感じる膝下から足首にかけての下腿部に感じる寒さを防ぐために、足の下腿部の保温を目的とした靴下であって、靴を履いた状態でも着脱できるように下腿部に巻き付けてファスナーで締める方式の靴下である。
【背景技術】
【０００２】
下腿部の保温具として、従来、例えば特許文献１及び特許文献２に記載のものが提案されている。特許文献１に記載のものは、下腿部を覆うための筒状の上部構造部と足甲部を覆うための靴状の下部構造部がセットになった保温具で、その上部構造部が下腿部の保温を目的としている。これは筒の側面にファスナーからなる開閉部を設け、この開閉部で筒を開閉自在としている。したがって、着脱作業には便利で、靴を履いた状態でも着脱可能である。
しかしながら、布材の両端に取り付けたファスナーを開閉する方式であるため、筒のサイズを調節することはできず、足のサイズが異なる不特定の使用者について常に最適な装着状態を得るのは難しい。
【０００３】
一方、特許文献２に記載のものは、下腿部に装着するための第１保温部材と足首部に装着するための第２保温部材がセットとなった保温具で、その第１保温部材が下腿部の保温を目的としている。これは保温性を有する柔軟な布製素材によって展開されたフラットシート状に形成されていて、下腿部に巻き付けて装着されると共に、巻き付け状態に保つための止着手段として巻き付けサイズに応じて止着位置を調整できるように、柔軟性繊維製の複数の係止部と被係止部が、前者は該保温部材の内面の一端寄りの位置に部分的に、後者は外面のほぼ全体にわたり設けられている。したがって、着脱作業には便利で、靴を履いた状態でも着脱可能であり、また、巻き付けサイズに応じて止着位置を調整できるので、足のサイズが異なる不特定の使用者についても適正な装着状態を得ることができる。
しかしながら、柔軟性繊維製の係止部と被係止部が止着する部分は、保温材が重なることになり、スマートさ、ファッション感覚の点で満足できるものとは言い難かった。
【特許文献１】特開平２００２−３１５６０１号公報
【特許文献２】特開平２００５−０５４３１２号公報
【考案の開示】
【考案が解決しようとする課題】
【０００４】
本考案の課題は、足の下腿部の保温を目的とした靴下であって、靴を履いた状態でも着脱作業が容易であり、また、足のサイズが異なる不特定の使用者についても適正な装着状態を得ることができ、さらに、装着時のスマートさ、ファッション感覚の点でも満足できる上記靴下を提供することにある。
【課題を解決するための手段】
【０００５】
上記課題を解決するため、本考案の靴下は、下腿部に巻き付けてファスナーで締める構造となるように、保温性を有し且つ伸縮性のある布製素材をほぼフラットシート状に展開し、端部にファスナーを設けている。ファスナーを閉めることにより、下腿部を包む筒状体を形成する。足のサイズが異なる不特定の使用者についても適正な装着状態を得られるようにするため、伸縮性のある布製素材を使用すると共に、ファスナーを閉めることにより形成される筒状体の太さを、足の脹脛部に当る部分を最大とし、そこから上部に行くに従い若干細くし、また、下部に行くに従い徐々に細くして足首部に当る最下端の太さを最小とするように布製素材のサイズ取りを行う。
【０００６】
本考案の好ましい態様では、最大太さとなる脹脛部に当る部分の周長をＬ、最小太さとなる足首部に当る部分の周長をｌ、最上部の周長をｍとするとき、ｌ/Ｌ＝０．５〜０．７、ｍ/Ｌ≒０．９程度とするのが良い。
【考案を実施するための最良の形態】
【０００７】
図１は、本考案に係る下腿部保温靴下のファスナーが開いた状態を示すもので、展開されたほぼフラットシート形状をなしている。図中１は伸縮性のある布製素材より成る靴下本体、２はファスナーである。図２は、ファスナーが閉じて筒形状をなした状態を示すものである。本靴下は左足用、右足用の区別無く、左右同形なので、一方のみを示している。図２において、筒の上端部３はほぼ膝直下に当る部分、若干下の４は脹脛の最も太い部分にほぼ当る部分、筒の下端部５はほぼ足首部に当る部分を示す。３、４、５の部分の周長をｍ、Ｌ、ｌとすると、これらは請求項２に示すようにｍ/Ｌ≒０．９及びｌ/Ｌ＝０．５〜０．７を満足せねばならない。したがって、ファスナーが開いた状態を示す図１において、フラットシート形状は、図中４の部分が最も膨らみ、３へ向かっては若干減少し、５へ向かってはほぼ直線状に減少した形状となっている。
【０００８】
靴下本体１の材質は、ニットなどの保温性且つ伸縮性に富んだ布製材質が望ましい。ファスナーは通常、衣類などに用いられる金属製又はプラスチック製のファスナーが使用できる。ファスナーの取付け方は、足首から膝直下へ向けて引き上げて閉じるようにしても、逆に膝直下から足首へ向けて引き下げて閉じるようにしてもよい。
【０００９】
本考案は主に椅子に座ってのデスクワーク等の作業時の使用を想定しているが、畳の上での正座時等での使用も考えられる。その場合は、ファスナーの位置が脚の背面にあると不快感を生ずる。本考案の靴下は、図２からもわかるように軸対称形状なので、ファスナーの位置が脚の側面にくるように装着すれば前述の不快感は解消できる。
本考案の基本思想を変えることなく、足首に当る部分（図２の５）の先に足甲部分を覆うカバーを有する靴下を作製できる。この場合は、軸対称形状にはならないので、ファスナーの位置は脚の側面にくるように設定しておく必要がある。
【実施例】
【００１０】
日本人の平均的な脹脛の太さである周長Ｌ＝３５ｃｍの場合について、本考案の下腿部保温靴下は、上端部の周長ｍ＝３１．５ｃｍ、足首部の周長ｌ＝２１．５ｃｍとなるように設計した。材質をニットとすることで、装着性の良い下腿部保温靴下が得られた。
【産業上の利用可能性】
【００１１】
下腿部の保温が必要なとき、本考案によれば、下腿部に巻き付けてファスナーで締める方式であるので、靴を履いた状態でも着脱が容易であり、また、材質が保温性且つ伸縮性の高い布製素材であると共に、膝直下から足首に至る下腿部の形状に即した形状をしているために足のサイズが異なる不特定の使用者についても適正な装着状態を得ることができ、さらに、重なり部分など厚みの不均一さを生じることなくファスナー止着できるので装着時のスマートさ、ファッション感覚の点でも満足できるので、下腿部保温靴下として効果が高い。
【図面の簡単な説明】
【００１２】
【図１】本考案の下腿部保温靴下のファスナーが開いた状態を示した平面図である。
【図２】本考案の下腿部保温靴下のファスナーが閉じて筒形状をなした状態を示す見取図である。
【符号の説明】
【００１３】
１  靴下本体
２  ファスナー
３  靴下の、ほぼ膝直下に当る部分
４  靴下の、脹脛の最も太い部分にほぼ当る部分
５  靴下の、ほぼ足首部に当る部分
【図１】
0003141232.tif 000003
【図２】
0003141232.tif 000004
【手続補正書】
【提出日】平成19年10月30日(2007.10.30)
【手続補正１】
【補正対象書類名】実用新案登録請求の範囲
【補正対象項目名】請求項１
【補正方法】変更
【補正の内容】
【請求項１】
下腿部に巻き付けてファスナーで締める構造の足部のない靴下であって、その材質は保温性を有し且つ伸縮性のある布製素材とし、該布製素材の端部に設けたファスナーを閉めることにより形成される筒状体の太さを、足の脹脛部に当る部分を最大とし、そこから上部に行くに従い若干細くし、また、下部に行くに従い徐々に細くして足首部に当る最下端の太さを最小とする形状の下腿部保温靴下。